(57)【要約】【課題】回転する加湿フィルターに付着する細菌を集めて不活化するとともに、加湿能力を備えた乾燥しやすい加湿フィルターを有する加湿装置を得ることを目的とする。【解決手段】吸込口１と吹出口２を連通し形成された空気流路３に送風機４を設けた本体５の空気流路３に設けた水槽６と、水槽６の溜水に常に下部を浸した状態で回転される中空円筒状の空孔率の大きな加湿フィルター８と、水槽６内に設けられる除菌装置１０とを備え、水槽６内の細菌を除菌装置に集めて不活化し、細菌が繁殖しないようにした加湿装置が得られる。【選択図】図１
2005274097.tif 000002
【特許請求の範囲】
【請求項１】
吸込口と吹出口を連通し形成された空気流路に送風機を設けた本体と、この本体の前記空気流路に設けた水槽と、この水槽の溜水に常に下部を浸した状態で回転される中空円筒状の加湿フィルターと、前記水槽内に設けられる除菌装置とを備え、前記水槽内の細菌を前記除菌装置で不活化する構成とした加湿装置。
【請求項２】
加湿フィルターの回転により、除菌装置内に水槽の溜水を送り込む構成とした請求項１記載の加湿装置。
【請求項３】
加湿フィルターを空孔率の大なるフィルター濾材により形成し、加湿運転終了後に加湿フィルターの回転を停止し、送風機を一定時間運転して、前記加湿フィルターの乾燥を行なうように構成した請求項１記載の加湿装置。
【請求項４】
加湿フィルターの上流側の空気流路に加熱手段を設け、加湿運転終了後に送風機の運転と、前記加熱手段への通電を一定時間行ない前記加湿フィルターの乾燥を行なうように構成した請求項３記載の加湿装置。
【請求項５】
加湿フィルターを空孔率の大なるフィルター濾材により形成し、タイマー運転終了前に加湿フィルターの回転を停止し、送風機を一定時間運転して加湿フィルターの乾燥を行なう構成とした請求項１記載の加湿装置。
【発明の詳細な説明】
【技術分野】
【０００１】
本発明は、水槽の温水に常に下部を浸した状態で回転される円筒状の加湿フィルターおよび除菌装置を水槽に設けた加湿装置に関する。
【背景技術】
【０００２】
従来、この種の加湿装置の一例として、加湿終了後に気化フィルターを乾燥させる加湿器が知られている（例えば、特許文献１参照）。
【０００３】
以下、その加湿器について図１３および図１４を参照しながら説明する。
【０００４】
図に示すように、送風装置１０１によって吸込口（図示せず）から吸い込まれた室内の乾燥した空気を風路中に設けたヒーター１０２を通過させて加熱したのち、水槽部１０３の水により湿濶した横長方形の気化フィルター１０４を通過させ、吹出口１０５から吹き出される。気化フィルター１０４は回転自在とし、一方の下端部が水槽部１０３の水中に水没した状態（ａ）と、水面と略水平に保持される状態（ｂ）と、他方の下端部が水中に水没する状態（ｃ）で夫々停止するようになっている。運転停止時は図１４（ｂ）に示すように、水槽部１０３から離れ略水平位置にある気化フィルター１０４に温風を送風して気化フィルター１０４を乾燥し、気化フィルター１０４を水面より一番遠く濡れにくい位置とし、これによって運搬時の水面揺れによる気化フィルター１０４の濡れや水槽部１０３からの着脱時の気化フィルター１０４の再度の濡れをなくすようにするとともに、乾燥することにより気化フィルター１０４への雑菌の繁殖や臭いの付着を防止している。
【特許文献１】特開２００３−３０２０７７号公報（［００４１］〜［００４８］図１、図５）
【発明の開示】
【発明が解決しようとする課題】
【０００５】
このような従来の加湿器では気化フィルター１０４の回転により、表面に付着した塵埃が水槽部１０３の水中に溶け出して、塵埃に含まれる細菌類が繁殖しやすくなるという課題があり、回転した気化フィルター１０４から溶け込む雑菌類を除去することが要求されている。
【０００６】
また、気化フィルター１０４の素材は吸水性を有しているため、送風乾燥に時間がかかるとともに、乾燥状態も不充分になりがちであるという課題があり、加湿能力を損なわずに乾燥しやすい加湿フィルターが要求されている。
【０００７】
本発明は、このような従来の課題を解決するものであり、回転する気化フィルターから溶け込む細菌類を不活化するとともに、加湿能力を備えた乾燥しやすい気化フィルターを有する加湿装置を提供することを目的としている。
【課題を解決するための手段】
【０００８】
本発明の加湿装置は上記目的を達成するために、本体内の空気流路に設けた水槽の溜め水に下部を浸した状態で回転される中空円筒状の加湿フィルターと、前記水槽内に設けられる除菌装置とを備え、前記水槽内の細菌を前記除菌装置で不活化する構成としたものである。
【０００９】
この手段により、回転する加湿フィルターに付着したあと、水槽内の水中に溶出する細菌を不活化できる加湿装置が得られる。
【００１０】
また、他の手段は、加湿フィルターの回転により、除菌装置内に水槽の溜水を送り込む構成としたものである。
【００１１】
この手段により、水中の細菌を除菌装置に導入して除菌効果を高めることができる。
【００１２】
また、他の手段は、加湿フィルターを空孔率の大なるフィルター濾材により形成し、加湿運転終了後に加湿フィルターの回転を停止し、送風機を一定時間運転して前記加湿フィルターの乾燥を行なうように構成したものである。
【００１３】
この手段により、フィルター濾材の水没している部分は除菌装置で細菌が不活化され、水から露出した部分は乾燥しやすく細菌の繁殖を防ぐことができる。
【００１４】
また、他の手段は、加湿フィルターの上流側の空気流路に加熱手段を設け、加湿運転終了後に、送風機の運転と前記加熱手段への通電を一定時間行ない、前記加湿フィルターの乾燥を行なうように構成したものである。
【００１５】
この手段により、フィルター濾材の乾燥時間の短縮と、殺菌効果を高めることができる。
【００１６】
また、他の手段は、加湿フィルターを空孔率の大きなフィルター濾材により形成し、タイマー運転終了前に前記加湿フィルターの回転を停止し、送風機を一定時間運転して加湿フィルターの乾燥を行なう構成としたものである。
【００１７】
この手段により、タイマー運転終了時に合わせて乾燥を完了することができる。
【発明の効果】
【００１８】
本発明によれば水槽の水中内の細菌類を集めて不活化することができるという効果のある加湿装置を提供できる。
【００１９】
また、細菌類を除菌装置に導入して除菌効果を高めることができる。
【００２０】
また、細菌の不活化と細菌の繁殖を防ぐことができる。
【００２１】
また、加湿フィルターの乾燥時間の短縮と殺菌効果を高めることができる。
【００２２】
また、細菌の繁殖の防止を効率良く行なうことができる。
【発明を実施するための最良の形態】
【００２３】
本発明の請求項１記載の発明は、吸込口と吹出口を連通し形成された空気流路に送風機を設けた本体と、この本体の前記空気流路に設けた水槽と、この水槽の溜水に常に下部を浸した状態で回転される中空円筒状の加湿フィルターと、前記水槽内に設けられる除菌装置とを備え、前記水槽内の細菌を前記除菌装置で不活化する構成としたものであり、回転する加湿フィルターは水槽に浸されるとき、加湿フィルターに付着した塵埃が洗浄され、水槽の溜水に塵埃中の細菌類が溶出することとなり、水槽内に設けた除菌装置により水中の細菌類を集めて不活化することができるという作用を有する。
【００２４】
また、請求項２記載の発明は、加湿フィルターの回転により除菌装置内に水槽の溜水を送り込む構成としたものであり、加湿フィルターが回転する方向に水流を生じ、この水流で除菌装置内に水槽の溜水を送り込むことにより水中の細菌類を除菌装置に導入して除菌効果を高めることができるという作用を有する。
【００２５】
また、請求項３記載の発明は、加湿フィルターを空孔率の大なるフィルター濾材により形成し、加湿運転終了後に加湿フィルターの回転を停止し、送風機を一定時間運転して、前記加湿フィルターの乾燥を行なうように構成したものであり、空孔率が大きく形成されていることにより、加湿フィルターの水中に浸された部分から毛細管現象による空気中に露出している加湿フィルターへの水分移動が少なくなり、送風運転により空気中の加湿フィルター部分の乾燥を行なうことにより、加湿フィルターの水中に浸された部分は除菌装置で細菌が不活化され、空気中に露出している部分は、細菌の繁殖を防ぐことができるという作用を有する。
【００２６】
また、請求項４記載の発明は、加湿フィルターの上流側の空気流路に加熱手段を設け、加湿運転終了後に送風機の運転と前記加熱手段への通電を一定時間行ない前記加湿フィルターの乾燥を行なうように構成したものであり、空気中に露出している空孔率の大きな加湿フィルターの乾燥を温風で行なうことにより、加湿フィルターの内部に温風が行き渡り乾燥時間を短縮することができるとともに、５０℃以上の温風にさらすことにより殺菌効果を高めることができるという作用を有する。
【００２７】
また、請求項５記載の発明は、加湿フィルターを空孔率の大なるフィルター濾材により形成し、タイマー運転終了前に前記加湿フィルターの回転を停止し、送風機を一定時間運転して加湿フィルターの乾燥を行なう構成としたものであり、タイマー運転が終了する一定時間前に加湿フィルターの回転を停止して送風運転することにより、加湿フィルターに残っている水分を放出して加湿を続けるとともに、水分の供給がないので加湿フィルターは徐々に乾燥し、タイマー運転終了時に合わせて乾燥を完了することができるという作用を有する。
【００２８】
以下、本発明の実施の形態について図面を参照しながら説明する。
【００２９】
（実施の形態１）
図１〜図６に示すように、吸込口１と吹出口２を連通した空気流路３に送風機４を設けた本体５と、この本体５に着脱自在に設けられる水槽６と、水槽６の溜水に常に下部を浸した状態で回転される空孔率の大なるフィルター濾材７により形成される中空円筒状の加湿フィルター８と、加湿フィルター８の上流側の空気流路３に設けられるヒーターよりなる加熱手段９と、水槽６内の細菌を不活化するように設けられる除菌装置１０とを設ける。
【００３０】
そして、除菌装置１０は、銅の金網よりなる第１の金属体１１と亜鉛板よりなる第２の金属体１２を一定間隔を設けて水平に配置したもので、酸化還元電位の異なる２種の金属体１３間にスペーサ１４を介して対向させ２種の金属体１３の端部に短絡部１５を設け接続する。除菌装置１０を収納する収納容器１６は、前部側面に開口部１７を有し、２種の金属体１３が水中に浸るように収納される水平部１８と、短絡部１５が空気中に配設されるように収納される垂直部１９とほぼＬ字状に形成し、水平部１８には上面に複数の孔２０を設けた上ケース２１と、上ケース２１に係合する下ケース２２とよりなり、下ケース２２には複数の機２３を設け、スペーサ１４が形成されている。
【００３１】
また、中空円筒状の加湿フィルター８は従動ギア２４を設けて水槽６に回動自在に設けられ、本体５内部には加湿フィルター８に設けた従動ギア２４に係合する駆動ギア２５を駆動する駆動モータ２６を設け構成する。
【００３２】
上記構成において、除菌装置１０の除菌作用について説明する。例えば大腸菌および黄色ブドウ球菌などの微生物は、その表面に電化を有し、電場に応じて移動するもので、２種類の電極を用いれば電極間に強制的に電圧を印加しなくても、単に両電極を短絡するだけで微生物を移動させることができる。すなわち種類の異なる２種の金属体が異なる酸化還元電位（イオン化傾向）を有することにより、酸化還元電位の違いに起因して、酸化還元電位の高い（イオン化傾向の小さい）金属体から酸化還元電位の低い（イオン化傾向の大きい）金属体に向かって微生物は移動するものである。
【００３３】
そして給水タンク２７から水槽６内に給水された水は収納容器１６の開口部１７から除菌装置１０に送り込まれ、除菌装置１０に設けられた２種の金属体１３間を通るときに、水中のマイナス電位の細菌は銅の金網で形成されたマイナス極の第１金属体１１から、亜鉛板で形成されたプラス極の第２の金属体１２に集められ、除菌された水が加湿フィルター８に含まれる。
【００３４】
この状態で加湿装置が運転されると、送風機４により吸込口１が吸い込んだ室内の空気は加熱手段９により加熱され温風となり、温風は水分を含んだ加湿フィルター８に接触して水分を気化し、水分を含む空気が吹出口２より室内に吹き出されて、除菌された水分で加湿されることとなる。
【００３５】
また、加湿フィルター８の回転方向を加湿フィルター８が空気流路３の上流側から水槽６の水中に入り空気流路３の下流側に移動する方向に設けられていることにより、加湿フィルター８に付着した塵埃は水中を通過するときに洗浄され、水槽６内に設けた除菌装置１０により水中の細菌類を集めて不活化することができる。
【００３６】
また、加湿フィルター８が回転する方向に水流が生じ、この水流で除菌装置１０内に水槽６の溜水を送り込むことにより、水中の細菌類を除菌装置１０へ導入して除菌効果が高められることとなる。
【００３７】
（実施の形態２）
図７および図８に示すように、送風機４Ａおよび加湿フィルター８Ａを駆動する駆動モータ２６Ａの運転を制御するようにタイマー２８を有した制御部２９を設け、加湿運転終了後には、制御部２９により駆動モータ２６Ａの運転を停止して空孔率の大きな加湿フィルター８Ａの回転を停止し、送風機４Ａのみをタイマー２８により一定時間運転するように制御部２９で制御する構成とする。
【００３８】
上記構成において、加湿運転終了後は、図８のタイムチャートに示すように、駆動モータ２６Ａの運転をＯＮからＯＦＦとし、加湿フィルター８Ａの回転を中止し、送風機４Ａ側はＯＮ状態で運転を続行し、駆動モータ２６ＡがＯＦＦとなり加湿フィルター８Ａの回転が停止した後は、送風機４Ａは一定時間乾燥運転を行ない加湿フィルター８Ａの乾燥が行なわれるように制御部２９で制御される。
【００３９】
また、加湿フィルター８Ａは空孔率が大きく形成され、水中に浸された部分から毛細管現象による空気中の加湿フィルター８Ａへの水分移動は少ないので送風運転により空気中に存在する加湿フィルター８Ａ部分の乾燥が行なわれることとなり、細菌の繁殖を防ぐことができるとともに、水中に浸された部分は除菌装置１０Ａで不活化されることができる。
【００４０】
（実施の形態３）
図９および図１０に示すように、送風機４Ｂおよび加湿フィルター８Ｂを駆動する駆動モータ２６Ｂと加湿フィルター８Ｂの上流側の空気流路に設けられる加熱手段９Ａを設け、加湿運転終了後に制御部２９Ａを介して加熱手段９Ａに一定時間通電して加湿フィルター８Ｂを乾燥させる構成とする。
【００４１】
上記構成において、加湿運転終了後は、図１０のタイムチャートに示すように、加湿運転終了時には、制御部２９Ａにより駆動モータ２６Ｂの運転をＯＮからＯＦＦとし、加湿フィルター８Ｂの回転は停止し、送風機４Ｂ側はＯＮ状態で運転を続行し、加熱手段９ＡもＯＮ状態で続行し、駆動モータ２６ＢがＯＦＦとなり加湿フィルター８Ｂの回転が停止した後は、送風機４Ｂと加熱手段９Ａは一定時間運転して乾燥運転を行なう。このように空気中の加湿フィルター８Ｂの乾燥を温風で行なうことにより、空孔率大なるフィルター濾材の内部まで温風が行き渡り、乾燥時間を短縮するとともに、５０℃以上の温風にさらすことにより殺菌効果を高めることができることとなる。
【００４２】
（実施の形態４）
図１１および図１２に示すように、送風機４Ｃおよび空孔率の大きな加湿フイルター８Ｃを駆動する駆動モータ２６Ｃとタイマー２８Ａを設けた制御部２９Ｂを設け、タイマー２８Ａによる運転終了前に、加湿フィルター８Ｃの回転を停止するとともに、送風機４Ｃを一定時間運転して加湿フィルター８Ｃの乾燥を行なう構成とする。
【００４３】
上記構成において、タイマ運転時は、図１２のタイムチャートに示すように、タイマー２８Ａによる運転が終了する一定時間前に制御部２９Ｂにより駆動モータ２６Ｃの運転をＯＮからＯＦＦとし、加湿フィルター８Ｃの運転を停止し、送風機４ＣはＯＮ状態で運転を続行し、加湿フィルター８Ｃの回転を停止した後は送風機４Ｃをタイマー運転終了時まで運転して乾燥運転を行なう。このとき加湿フィルター８Ｃに対する水分の供給がないので加湿フィルター８Ｃは徐々に乾燥し、タイマー運転終了時に合わせて乾燥を完了することができる。
【産業上の利用可能性】
【００４４】
除菌装置を用いて、水槽内の水をくみ上げ熱交換部に散水して冷風を得るようにした冷風扇の水槽の除菌にも適用できる。
【図面の簡単な説明】
【００４５】
【図１】本発明の実施の形態１の加湿装置の横断面図
【図２】同加湿装置の縦断面図
【図３】同加湿装置の加湿フィルターの斜視図
【図４】同加湿装置の空気流の流れを示す部分断面図
【図５】同加湿装置に設けられる除菌装置の斜視図
【図６】同加湿装置に設けられる除菌装置の分解斜視図
【図７】本発明の実施の形態２の加湿装置の構成を示すブロック図
【図８】同加湿装置の運転状態を示すタイムチャート
【図９】本発明の実施の形態３の加湿装置の構成を示すブロック図
【図１０】同加湿装置の運転状態を示すタイムチャート
【図１１】本発明の実施の形態４の加湿装置の構成を示すブロック図
【図１２】同加湿装置の運転状態を示すタイムチャート
【図１３】従来の加湿器の断面図
【図１４】同加湿器の動作説明図
【符号の説明】
【００４６】
１  吸込口
２  吹出口
３  空気流路
４  送風機
４Ａ  送風機
４Ｂ  送風機
４Ｃ  送風機
５  本体
６  水槽
７  フィルター濾材
８  加湿フィルター
８Ａ  加湿フィルター
８Ｂ  加湿フィルター
８Ｃ  加湿フィルター
９  加熱手段
９Ａ  加熱手段
１０  除菌装置
２６  駆動モータ
２６Ａ  駆動モータ
２６Ｂ  駆動モータ
２６Ｃ  駆動モータ
２８  タイマー
２８Ａ  タイマー
【図１】
2005274097.tif 000003
【図２】
2005274097.tif 000004
【図３】
2005274097.tif 000005
【図４】
2005274097.tif 000006
【図５】
2005274097.tif 000007
【図６】
2005274097.tif 000008
【図７】
2005274097.tif 000009
【図８】
2005274097.tif 000010
【図９】
2005274097.tif 000011
【図１０】
2005274097.tif 000012
【図１１】
2005274097.tif 000013
【図１２】
2005274097.tif 000014
【図１３】
2005274097.tif 000015
【図１４】
2005274097.tif 000016